(57)【要約】【課題】フレームの製造コストのロスを削減し、意匠性のあるフレームを備えた加熱調理器を提供する。【解決手段】フレームＦは、天板２の前端部の上面を覆う前フレーム５と、天板２の後端部の上面を覆う後フレーム６と、天板２の左端部の上下面及び側面を覆うように設けられ、差込部３ａが前フレーム５の後フレーム６と対向する面の接続部５ａに嵌め込まれ、差込部３ｂが後フレーム６の前フレーム５と対向する面の接続部６ａに嵌め込まれる左フレーム３と、天板２の右端部の上下面及び側面を覆うように設けられ、差込部４ａが前フレーム５の後フレーム６と対向する面の接続部５ｂに嵌め込まれ、差込部４ｂが後フレーム６の前フレーム５と対向する面の接続部６ｂに嵌め込まれた右フレーム４とを有し、左フレーム３及び右フレーム４は、少なくとも前フレームと異なる材料あるいは異なる表面処理が施された材料が使用されている。【選択図】図２
2014228162.tif 000002
【特許請求の範囲】
【請求項１】
上部に開口を有する本体ケースと、
前記本体ケースの上部に固定され、当該本体ケースの開口を覆う天板の外周部に設けられたフレームを有する加熱調理器において、
前記フレームは、
前記天板の前端部の上面を覆う前フレームと、
前記天板の後端部の上面を覆う後フレームと、
前記天板の左右方向のうち左端部の上下面及び側面を覆うように設けられ、一端部が前記前フレームの前記後フレームと対向する面の一方の端部に嵌め込まれ、他端部が前記後フレームの前記前フレームと対向する面の一方の端部に嵌め込まれた左フレームと、
前記天板の左右方向のうち右端部の上下面及び側面を覆うように設けられ、一端部が前記前フレームの前記後フレームと対向する面の他方の端部に嵌め込まれ、他端部が前記後フレームの前記前フレームと対向する面の他方の端部に嵌め込まれた右フレームとを有し、
前記左フレーム及び前記右フレームは、少なくとも前記前フレームと異なる材料あるいは異なる表面処理が施された材料が使用されていることを特徴とする加熱調理器。
【請求項２】
前記左フレーム及び前記右フレームの材料として、アルミニウムが使用されていることを特徴とする請求項１記載の加熱調理器。
【請求項３】
前記左フレーム及び前記右フレームの材料として、合成樹脂が使用されていることを特徴とする請求項１記載の加熱調理器。
【請求項４】
前記左フレーム及び前記右フレームには、補強部材が組み付けられていることを特徴とする請求項３記載の加熱調理器。
【請求項５】
前記左フレーム及び前記右フレームの高さは、前記前フレームよりも低いことを特徴とする請求項１〜４の何れかに記載の加熱調理器。
【発明の詳細な説明】
【技術分野】
【０００１】
本発明は、例えば、天板に載置された被加熱物を加熱する加熱調理器に係わり、特に天板の外周部に設けられたフレームの構造に関するものである。
【背景技術】
【０００２】
従来の加熱調理器には、載置された天板の外周部を接着剤で接着して保持する保持部材と、その天板の外周部を上方より覆うフレームとを備えたものがある（例えば、特許文献１参照）。
【先行技術文献】
【特許文献】
【０００３】
【特許文献１】特許第３８８５７５８号公報（請求項１、図１）
【発明の概要】
【発明が解決しようとする課題】
【０００４】
従来の加熱調理器では、フレームが一体式であるため、天板のエリア部分の板金をプレス加工にて打ち抜かなくてはならず、打ち抜いた板金を捨てているため、フレームの製造コストにロスがあった。また、前述したようにフレームが一体式であるため、フレーム自体の意匠性が乏しかった。
【０００５】
本発明は、前述のような課題を解決するためになされたもので、フレームの製造コストのロスを削減し、意匠性のあるフレームを備えた加熱調理器を提供することを目的とする。
【課題を解決するための手段】
【０００６】
本発明に係る加熱調理器は、上部に開口を有する本体ケースと、本体ケースの上部に固定され、その本体ケースの開口を覆う天板の外周部に設けられたフレームを有する加熱調理器において、フレームは、天板の前端部の上面を覆う前フレームと、天板の後端部の上面を覆う後フレームと、天板の左右方向のうち左端部の上下面及び側面を覆うように設けられ、一端部が前フレームの後フレームと対向する面の一方の端部に嵌め込まれ、他端部が後フレームの前フレームと対向する面の一方の端部に嵌め込まれた左フレームと、天板の左右方向のうち右端部の上下面及び側面を覆うように設けられ、一端部が前フレームの後フレームと対向する面の他方の端部に嵌め込まれ、他端部が後フレームの前フレームと対向する面の他方の端部に嵌め込まれた右フレームとを有し、左フレーム及び右フレームは、少なくとも前フレームと異なる材料あるいは異なる表面処理が施された材料が使用されている。
【発明の効果】
【０００７】
本発明によれば、前フレーム、後フレーム、左フレーム及び右フレームを組み合わせて天板のフレームを構成するようにしているので、従来のように天板のエリア部分の板金をプレス加工にて打ち抜く必要がなくなり、このため、フレームの製造コストのロスを削減できる。また、左フレーム及び右フレームに、少なくとも前フレームと異なる材料あるいは異なる表面処理が施された材料を用いているので、意匠性の向上につながり、高級感のあるフレームを備えた加熱調理器を提供できる。
【図面の簡単な説明】
【０００８】
【図１】実施の形態に係る加熱調理器の外観を示す斜視図。
【図２】図１の天板のフレームを分解して示す斜視図。
【図３】図１の右フレームを矢視Ａ−Ａ方向から見て示す断面図。
【図４】図１の左フレームを矢視Ｂ−Ｂ方向から見て示す断面図。
【図５】右フレームの変形例の一例を示す断面図。
【発明を実施するための形態】
【０００９】
図１は実施の形態に係る加熱調理器の外観を示す斜視図である。
実施の形態に係る加熱調理器１００は、上部に開口を有する本体ケース１と、本体ケースの上部に設けられた天板２と、本体ケース１内に、天板２に表示された鍋等の載置位置を示す左加熱部７ａ、右加熱部７ｂ及び中央加熱部７ｃにそれぞれ対向して収納された加熱コイルと、本体ケース１内に収納され、本体ケース１の前面にグリル扉１１を有するグリル調理器とを備えている。なお、本実施の形態では、３つの加熱コイルを備えた加熱調理器１００としているが、これは一例であって、加熱コイルの個数は限定されるものではない。また、中央加熱部７ｃに対向配置された加熱コイルに代えて、ラジエントヒーターを用いてもよい。
【００１０】
天板２は、耐熱強化ガラスより形成され、外周部に額縁状に形成されたフレームＦが装着された状態で本体ケース１の上部に取り付けられている。なお、フレームＦは、後述するが、前フレーム５、後フレーム６、左フレーム３、右フレーム４、左ベースフレーム１２及び右ベースフレーム１３で構成されている。天板２の手前側の前フレーム５には、各加熱コイル及びグリル調理器の加熱動作をそれぞれ指示するための操作部１０が設けられている。天板２の奧側の後フレーム６には、吸気口カバー８及び排気口カバー９が取り外し自在に設けられている。
【００１１】
次に、前述したフレームＦの構成について、図２〜図４を用いて詳述する。
図２は図１の天板のフレームを分解して示す斜視図、図３は図１の右フレームを矢視Ａ−Ａ方向から見て示す断面図、図４は図１の左フレームを矢視Ｂ−Ｂ方向から見て示す断面図である。
【００１２】
フレームＦは、前述したように、天板２の前後の各端部をそれぞれ覆う前フレーム５及び後フレーム６と、天板２の左右の各端部をそれぞれ覆う左フレーム３及び右フレーム４と、左フレーム３及び右フレーム４にそれぞれ設けられて、天板２を下から支持する左ベースフレーム１２及び右ベースフレーム１３とで構成されている。
【００１３】
前フレーム５は、天板２の左右方向に延びる長方形状に形成され、その両端部の短辺と前部の長辺とが、下方に延びて内側に折り返されている。即ち、前フレーム５の後フレーム６と対向する面を除く周縁部がコの字状に形成されている。その周縁部のうち短辺側のコの字形状の両端部が左フレーム３及び右フレーム４の接続部５ａ、５ｂとなっている。また、前フレーム５は、図４に示すように、前部から後方に向かうに連れ上方に傾斜して下方に傾斜している。この前フレーム５の前部から後方に向かう傾斜面には、操作部１０が設けられる。
【００１４】
後フレーム６は、天板２の左右方向に延びる長方形状に形成され、その両端部の短辺と後部の長辺とが、前フレーム５と同様に、下方に延びて内側に折り返されている。即ち、後フレーム６の前フレーム５と対向する面を除く周縁部がコの字状に形成されている。その周縁部のうち短辺側のコの字形状の両端部が左フレーム３及び右フレーム４の接続部６ａ、６ｂとなっている。
【００１５】
右フレーム４は、上下方向に互いに対向する上支持部４ｃと下支持部４ｄとを有する断面が略コの字形で、天板２の前後方向に長く延びている。右フレーム４は、図３に示すように、上支持部４ｃの短辺の端部が下支持部４ｄとの間隔が狭くなるように段差を有して、下支持部４ｄの短辺よりも長く形成されている。この右フレーム４は、天板２の左右方向のうち右端部の上下面及び側面を覆うように設けられる。
【００１６】
また、右フレーム４の両端部には、コの字形の各辺が細くなるように段差を有して外方へ延びる差込部４ａ、４ｂが設けられている。右フレーム４の差込部４ａは、前フレーム５の後フレーム６と対向する面の他方の端部である接続部５ｂに嵌め込まれ、右フレーム４の差込部４ｂは、後フレーム６の前フレーム５と対向する面の他方の端部である接続部６ｂに嵌め込まれる。
【００１７】
左フレーム３は、右フレーム４と同様に、上下方向に互いに対向する上支持部３ｃと下支持部３ｄとを有する断面が略コの字形で、天板２の前後方向に長く延びている。左フレーム３は、右フレーム４と同様に、上支持部３ｃの短辺の端部が下支持部３ｄとの間隔が狭くなるように段差を有して、下支持部３ｄの短辺よりも長く形成されている。この左フレーム３は、天板２の左右方向のうち左端部の上下面及び側面を覆うように設けられる。
【００１８】
また、左フレーム３の両端部には、コの字形の各辺が細くなるように段差を有して外方へ延びる差込部３ａ、３ｂが設けられている。左フレーム３の差込部３ａは、前フレーム５の後フレーム６と対向する面の一方の端部である接続部５ａに嵌め込まれ、左フレーム３の差込部３ｂは、後フレーム６の前フレーム５と対向する面の一方の端部である接続部６ａに嵌め込まれる。
【００１９】
左ベースフレーム１２は、天板２の前後方向に長く延びる板状に形成され、その一端部には、上方に略直角に延びて外方へ斜め下方に折り曲げられて形成された前支持部１２ａが設けられ、他端部には、上方に略直角に延びて外方へ略直角に折り曲げられて形成された後支持部１２ｂが設けられている。右ベースフレーム１３は、左ベースフレーム１２と同様に、天板２の前後方向に長く延びる板状に形成され、その一端部と他端部には、左ベースフレーム１２と同様に、前支持部１３ａと後支持部１３ｂとが設けられている。
【００２０】
前述した前フレーム５と後フレーム６には、ステンレス製の板金が使用されており、右フレーム４と左フレーム３には、アルミニウム製の板金が使用されている。また、左ベースフレーム１２と右ベースフレーム１３には、前フレーム５と後フレーム６と同様のステンレス製の板金が使用されている。右フレーム４と左フレーム３にアルミニウム製の板金を用いた場合、天板２をアルミニウムの色に合わせた色とする。なお、前フレーム５と後フレーム６に、同じステンレス製の板金を用いているが、前フレーム５と後フレーム６の材料が異なっていてもよい。また、左フレーム３及び右フレーム４は、少なくとも前フレーム５と異なる表面処理が施された材料が使用されていてもよい。表面処理とは、例えば、塗装やヘアライン仕上げ、光沢仕上げ、鏡面仕上げ等の加工を含む材料の表面に施す処理のことである。
【００２１】
次に、前記のように構成されたフレームＦに天板２を組み付けるまでの組み立て作業について説明する。なお、組み立て作業の手順は一例であって、これに限定されるものではない。
先ず、図２に示すように、左フレーム３の差込部３ａを前フレーム５の接続部５ａに嵌め込み、右フレーム４の差込部４ａを前フレーム５のもう一方の接続部５ｂに嵌め込む。次いで、左フレーム３の差込部３ｂを後フレーム６の接続部６ａに、右フレーム４の差込部４ｂを後フレーム６の接続部６ｂにそれぞれ嵌め込む。そして、左フレーム３の上支持部３ｃと右フレーム４の上支持部４ｃの内面にそれぞれ接着剤２０を注入した後に、天板２の左右方向の両端部を左フレーム３及び右フレーム４内にそれぞれ挿入して固着させる。
【００２２】
そして、天板２の左右方向の下面の両端部に接着剤２０を塗った後に、左ベースフレーム１２を天板２と左フレーム３の下支持部３ｄとの間に差し込み、次いで、右ベースフレーム１３を天板２と右フレーム４の下支持部４ｄとの間に差し込んで、それぞれ接着剤２０で固着させる。
【００２３】
以上の組み立てにより、左ベースフレーム１２の前支持部１２ａと右ベースフレーム１３の前支持部１３ａとが前フレーム５を内側から支持し、左ベースフレーム１２の後支持部１２ｂと右ベースフレーム１３の後支持部１３ｂとが後フレーム６を内側から支持する。また同時に、左ベースフレーム１２によって天板２の左側の端部を下面から支持し、右ベースフレーム１３によって天板２の右側の端部を下面から支持する。
【００２４】
また、前フレーム５の両端部（接続部５ａ、５ｂ）を除く傾斜面が天板２の前端部の上面に接触して覆い、後フレーム６の両端部（接続部６ａ、６ｂ）を除く傾斜面が天板２の後端部の上面に接触して覆う。
【００２５】
以上のように実施の形態によれば、前フレーム５、後フレーム６、左フレーム３、右フレーム４、左ベースフレーム１２及び右ベースフレーム１３を組み合わせて天板２のフレームＦを構成するようにしているので、従来のように天板のエリア部分の板金をプレス加工にて打ち抜く必要がなくなり、このため、フレームＦの製造コストのロスを削減できる。また、左フレーム３及び右フレーム４に前フレーム５及び後フレーム６の材料と異なるアルミニウムを用いているので、意匠性の向上につながり、高級感のあるフレームＦを備えた加熱調理器１００を提供できる。
【００２６】
また、左フレーム３の差込部３ａを前フレーム５の接続部５ａに、右フレーム４の差込部４ａを前フレーム５の接続部５ｂに嵌め込み、左フレーム３の差込部３ｂを後フレーム６の接続部６ａに、右フレーム４の差込部４ｂを後フレーム６の接続部６ｂに嵌め込むようにしている。この接続により、前フレーム５と後フレーム６の接続性を高めることができ、接続部分からの水の浸入も抑えることができる。
【００２７】
更に、前フレーム５は、前部から後方に向かうに連れ上方に傾斜して下方に傾斜し、しかも、その傾斜面のトップが左フレーム３と右フレーム４の高さよりも高くなっている。これにより、天板２上に被加熱物から吹き零れた水が、前フレーム５上の操作部１０に侵入するようなことがない。
【００２８】
なお、実施の形態では、左フレーム３と右フレーム４にアルミニウム製の板金を使用したが、これに代えて、図５に示すように、合成樹脂製の左フレーム３と右フレーム４を用いるようにしてもよい。なお、図５は右フレームの変形例の一例を示す断面図である。
【００２９】
右フレーム４は、上下方向に互いに対向する上支持部４ｃと下支持部４ｄを有する断面が略コの字形で、天板２の前後方向に長く延びている。この右フレーム４の上支持部４ｃの短辺が先端に向かうに連れ上面に下方に傾斜する段差が設けられている。また、右フレーム４の下支持部４ｄの短辺が先端に向かうに連れ内面に略直角の段差が設けられている。更に、右フレーム４の中には、断面がコの字形の板金製の補強部材１４が嵌め込まれている。これは、合成樹脂製の右フレーム４の強度を補強するために設けられている。
【００３０】
右フレーム４の両端部には、実施の形態と同様に、コの字形の各辺が細くなるように段差を有して外方へ延びる差込部４ａ、４ｂが設けられている。右フレーム４の差込部４ａは、前フレーム５の後フレーム６と対向する面の他方の端部である接続部５ｂに嵌め込まれ、右フレーム４の差込部４ｂは、後フレーム６の前フレーム５と対向する面の他方の端部である接続部６ｂに嵌め込まれる。なお、図には示していないが、左フレーム３の構造は、前述した右フレーム４と同様である。
【００３１】
このように、合成樹脂製の左・右フレーム３、４を用いることで、前フレーム５及び後フレーム６とは色の異なる左・右フレーム３、４を組み合わせることができるので、より意匠性が向上し、高級感のある加熱調理器１００を提供できる。また、左・右フレーム３、４を天板２の色と同じような色にした場合、天板２のサイズを小さくしても天板２の左右方向の拡がり感を醸し出すことができる。
【００３２】
また、実施の形態では、前フレーム５に操作部１０が設けられていることを述べたが、前フレーム５に操作部１０が無くてもよい。操作部が静電スイッチのような天板２上に設けられるタッチスイッチ式であって前フレーム５に無くても、前フレーム５の傾斜面のトップが天板２よりも高くなっているので、前フレーム５側に吹き零れた水が溢れにくいという効果がある。
【符号の説明】
【００３３】
１  本体ケース、２  天板、３  左フレーム、３ａ、３ｂ  差込部、３ｃ  上支持部、３ｄ  下支持部、４  右フレーム、４ａ、４ｂ  差込部、４ｃ  上支持部、４ｄ  下支持部、５  前フレーム、５ａ、５ｂ  接続部、６  後フレーム、６ａ、６ｂ  接続部、７ａ  左加熱部、７ｂ  右加熱部、７ｃ  中央加熱部、８  吸気口カバー、９  排気口カバー、１０  操作部、１１  グリル扉、１２  左ベースフレーム、１２ａ  前支持部、１２ｂ  後支持部、１３  右ベースフレーム、１３ａ  前支持部、１３ｂ  後支持部、１４  補強部材、２０  接着剤、１００  加熱調理器、Ｆ  フレーム。
【図１】
2014228162.tif 000003
【図２】
2014228162.tif 000004
【図３】
2014228162.tif 000005
【図４】
2014228162.tif 000006
【図５】
2014228162.tif 000007